(57)【要約】【課題】照明装置本体を簡単な構成とすることができ、また、既設の乗客コンベアに設ける場合には、既設の照明装置本体の交換を要することなく設けることができる乗客コンベアの欄干照明装置の提供。【解決手段】本発明に係る欄干照明装置は、例えばエスカレータに備えられるものであり、欄干パネル１に保持された照明装置本体２と、この照明装置本体２に着脱可能に設けられ、光を透過させ、かつ拡散させる照明カバー３と、照明装置本体２と前記照明カバー３によって形成される空間部内に配置された光源とを備え、照明装置本体２は１部材から成り、前述の光源は、照明カバー３の内面部に沿う形状に形成されて、この照明カバー３の内面部に設けられる面状発光体４から成り、この記面状発光体４は、可撓性シート、例えばＥＬシートから構成されている。【選択図】図１
2015030605.tif 000002
【特許請求の範囲】
【請求項１】
欄干パネルに保持された照明装置本体と、この照明装置本体に着脱可能に設けられ、光を透過させ、かつ拡散させる照明カバーと、前記照明装置本体と前記照明カバーによって形成される空間部内に配置された光源とを備えた乗客コンベアの欄干照明装置において、
前記照明装置本体は１部材から成り、
前記光源は、前記照明カバーの内面部に沿う形状に形成されて、この照明カバーの内面部に設けられる面状発光体から成ることを特徴とする乗客コンベアの欄干照明装置。
【請求項２】
請求項１に記載の乗客コンベアの欄干照明装置において、
前記面状発光体は、可撓性シートから成ることを特徴とする乗客コンベアの欄干照明装置。
【請求項３】
請求項１または２に記載の乗客コンベアの欄干照明装置において、
前記光源は、複数の前記面状発光体から成り、
これらの複数の面状発光体を、前記照明カバーの長手方向に沿って、互いに隙間を生じることなく設けたことを特徴とする乗客コンベアの欄干照明装置。
【請求項４】
請求項１〜３のいずれか１項に記載の乗客コンベアの欄干照明装置において、
前記乗客コンベアは、既設の照明装置本体と既設の照明カバーとによって形成される空間部内に、既設の光源、及びこの既設の光源を支持するソケットを有する既設の乗客コンベアから成り、
前記既設の光源及び前記ソケットを除去することなく、前記面状発光体を前記既設の照明カバーの内面部に設けたことを特徴とする乗客コンベアの欄干照明装置。
【発明の詳細な説明】
【技術分野】
【０００１】
本発明は、エスカレータや動く歩道等の乗客コンベアに備えられ、欄干パネルに保持される照明装置本体を有する乗客コンベアの欄干照明装置に関する。
【背景技術】
【０００２】
この種の従来技術として特許文献１に示されるものがある。この従来技術は、マンコンベアすなわち乗客コンベアの欄干パネルの上端に取り付けられた固定デッキと、この固定デッキに蝶番を介して上方向に回動可能に設けられた非固定デッキとから成るデッキ、すなわち照明装置本体を備えている。非固定デッキには照明カバーが係着され、非固定デッキと照明カバーとによって形成される空間部内には光源等が配置されている。また、非固定デッキの上部には移動手摺を案内するレールが設けられている。
【０００３】
この従来技術は、光源等の保全作業に際しては、非固定デッキを上方向に回動させることにより、欄干パネルや建屋の壁に邪魔されることなくこの保全作業を行うことができる。
【先行技術文献】
【特許文献】
【０００４】
【特許文献１】特開２００４−３５９３８８号公報
【発明の概要】
【発明が解決しようとする課題】
【０００５】
前述した従来技術は、非固定デッキを上方に回動させることにより光源等の保全作業を比較的容易に行うことができる。しかし、照明装置本体を形成するデッキが欄干パネルに取り付けられた固定デッキと、この固定デッキに回動可能に設けられる非固定デッキとから成る複雑な構成であることから製作費が高くなる問題がある。
【０００６】
また、この従来技術は、既設の乗客コンベアに設ける場合には、照明装置本体を含めた全体を交換しなければならず、照明装置取り付け作業が大掛かりになり、取り付け作業工数が増加する問題もある。
【０００７】
本発明は、前述した従来技術における実情からなされたもので、その目的は、照明装置本体を簡単な構成とすることができ、また、既設の乗客コンベアに設ける場合には、既設の照明装置本体の交換を要することなく設けることができる乗客コンベアの欄干照明装置を提供することにある。
【課題を解決するための手段】
【０００８】
前記目的を達成するために、本発明に係る乗客コンベアの欄干照明装置は、欄干パネルに保持された照明装置本体と、この照明装置本体に着脱可能に設けられ、光を透過させ、かつ拡散させる照明カバーと、前記照明装置本体と前記照明カバーによって形成される空間部内に配置された光源とを備えた乗客コンベアの欄干照明装置において、前記照明装置本体は１部材から成り、前記光源は、前記照明カバーの内面部に沿う形状に形成されて、この照明カバーの内面部に設けられる面状発光体から成ることを特徴としている。
【発明の効果】
【０００９】
本発明に係る乗客コンベアの欄干照明装置は、照明装置本体が１部材から成る簡単な構成であることから、従来に比べて製作費を安くすることができる。また本発明は、既設の乗客コンベアに設ける場合には、既設の照明装置本体の交換を要せずに、既設の照明装置本体に保持されていた既設の照明カバーの内面部に面状発光体を設け、このように面状発光体が設けられた既設の照明カバーを既設の照明装置本体に取り付ければ済む。したがって本発明を既設の乗客コンベアに適用する場合の取り付け作業を簡単に行うことができ、従来に比べて取り付け作業工数を低減させることができる。
【図面の簡単な説明】
【００１０】
【図１】本発明に係る欄干照明装置の第１実施形態を示す断面図である。
【図２】第１実施形態に備えられる面状発光体を既設の照明カバーに取り付ける前の状態を示す図である。
【図３】第１実施形態に備えられる面状発光体を既設の照明カバーに取り付けた状態を示す図である。
【図４】本発明の第２実施形態を示す断面図である。
【図５】本発明の第３実施形態を示す断面図である。
【図６】本発明の第４実施形態を示す断面図である。
【図７】本発明の第５実施形態を示す断面図である。
【図８】本発明の第６実施形態を示す断面図である。
【図９】本発明の第７実施形態を示す断面図である。
【図１０】欄干照明装置を備えた既設の乗客コンベアの一例として挙げたエスカレータを示す側面図である。
【図１１】図１０のＡ−Ａ断面拡大図である。
【発明を実施するための形態】
【００１１】
以下、本発明に係る乗客コンベアの欄干照明装置の実施の形態を図面に基づいて説明する。
【００１２】
図１０は欄干照明装置を備えた既設の乗客コンベアの一例として挙げたエスカレータを示す側面図、図１１は図１０のＡ−Ａ断面拡大図である。
【００１３】
本発明に係る欄干照明装置の第１実施形態は、例えば既設の乗客コンベア、すなわち図１０，１１に示すエスカレータに設けられる。したがって、本発明の第１実施形態を説明する前に、図１０，１１に基づいて既設の乗客コンベア、及びこの既設の乗客コンベアに設けられる既設の欄干照明装置について簡単に説明する。
【００１４】
図１０，１１に示すように、欄干パネル１の上部には、照明装置本体２が保持されている。照明装置本体２は１部材から成っている。照明装置本体２の下側には光を透過させ、かつ拡散させる照明カバー３が設けられている。照明カバー３は爪部３ｃを介して照明装置本体２に着脱可能に設けられている。照明カバー３は、透明あるいは半透明のアクリル材等で構成されている。
【００１５】
図１１に示すように、照明装置本体２と照明カバー３によって形成される空間部内には、光源２ａ、及び光源２ａを支持するソケット２ｂが配置されている。ソケット２ｂには光源２ａに電力を供給する配線材２ｃが接続されている。この配線材２ｃは、照明装置本体２の上部に設けた移動手摺を案内するレール６内に配置されている。
【００１６】
図１は本発明に係る欄干照明装置の第１実施形態を示す断面図、図２は第１実施形態に備えられる面状発光体を既設の照明カバーに取り付ける前の状態を示す図、図３は第１実施形態に備えられる面状発光体を既設の照明カバーに取り付けた状態を示す図である。
【００１７】
前述した図１０，１１に示す既設の乗客コンベアに備えられる本発明の第１実施形態に係る欄干照明装置は、図１〜３に示すように、照明装置本体２と照明カバー３とによって形成される空間部内に配置された光源が、照明カバー３の内面部３ａに沿う形状に形成されて、この照明カバー３の内面部３ａに設けられる面状発光体４から成っている。既設の光源２ａは、この第１実施形態では活用されない。
【００１８】
この面状発光体４は、例えば可撓性シートからなっている。この可撓性シートは、例えばＥＬ（Ｅｌｅｃｔｒｏ  Ｌｕｍｉｎｅｓｓｅｎｃｅ）シートによって形成されている。このＥＬシートは、近年では薄くて軽い商品（厚み約０．２〜０．３ｍｍ程度）が市販されており、発光時の明るさは３００カンデラ〜６００カンデラと液晶テレビ程度の明るさであり、かつ蛍光灯に比べて電気の消費量が１／２〜１／３であり、省エネ効果を有する照明体である。
【００１９】
この面状発光体４を図２に示すように、照明カバー３の内面部３ａと同様の形状となるように加工し、図３に示すように、例えば接着剤５によって照明カバー３の内面部３ａに接着してある。このように面状発光体４を照明カバー３の内面部３ａに設けることにより、照明カバー３の外面部３ｂを全面にわたって発光させることができる。
【００２０】
照明カバー３の内面部３ａに対する面状発光体４の固定は、前述のように接着剤５によって固定する他、両面テープを用いて固定してもよい。また、ビス等によって固定してもよい。また、面状発光体４の経年劣化による交換を考慮した場合には、面状発光体４を照明カバー３から容易に取り外すことができる固定手段を設けると都合がよい。
【００２１】
また、この第１実施形態は、光源を形成する面状発光体４が複数の面状発光体４から成っており、これらの複数の面状発光体４を、照明カバー３の長手方向に沿って、互いに隙間を生じさせることなく設けてある。このように複数の面状発光体４を隙間を生じさせずに設けることにより、光源として蛍光灯等を採用した場合にみられるソケット部の光ムラや、ＬＥＤ等を採用した場合にみられる光ムラを解消することができ、優れた照明効果が得られる。
【００２２】
また、この第１実施形態は、図１に示すように、既設の光源２ａ及びソケット２ｂを除去することなく、面状発光体４を既設の照明カバー３の内面部３ａに設けてある。すなわち、照明カバー３の内面部３ａに設ける面状発光体４は、薄いＥＬシートから成るので既設の光源２ａ及びソケット２ｂに干渉せずに設けることができる。このように既設の光源２ａ及びソケット２ｂを除去することなく面状発光体４を取り付けるようにしたので、この第１実施形態は、取り付け作業を容易に行うことができる。
【００２３】
面状発光体４と、この面状発光体４を発光させるに必要なインバータ等の部品とは、移動手摺を案内するレール６内に配置されている既設の配線材２ｃを介して接続してある。
【００２４】
なお、照明カバー３の内面部３ａに面状発光体４を設けるに際しては、例えば既設の乗客コンベアの設置現場で、照明カバー３の内面部３ａに面状発光体４を設けることができる。また、既設の乗客コンベアの設置現場とは異なる工場や作業所で、面状発光体４を予備の照明カバーに設け、既設の照明カバーを既設の照明装置本体２から取り外し、面状発光体４が設けられた予備の照明カバーを既設の照明装置本体２に取り付けるようにすることもできる。このように既設の乗客コンベアの設置場所とは異なる場所で、予め面状発光体４を予備の照明カバーに設けるようにする場合には、既設の乗客コンベアの設置現場における取り付け作業が簡単になり、第１実施形態に係る欄干照明装置を取り付けるに際して実施される既設の乗客コンベアの停止期間をより短くすることができる。
【００２５】
なお、既設の照明カバー４に代えて、前述のように予備の照明カバーを取り付ける際などには、面発光色の刷新を考慮して、色付きのアクリル材等から成る予備の照明カバーを備えるようにしてもよい。
【００２６】
前述のように構成した本発明の第１実施形態に係る欄干照明装置によれば、照明装置本体２が１部材から成る簡単な構成であることから、製作費を安くすることができる。また、この第１実施形態によれば、既設の乗客コンベアに設けるに際し、既設の照明装置本体２の交換を要せずに、既設の照明装置本体２に保持された既設の照明カバー３の内面部３ａに面状発光体４を設け、このように面状発光体４が設けられた既設の照明カバー３を既設の照明装置本体２に取り付ければ済む。したがって、既設の乗客コンベアへの取り付け作業を簡単に行うことができ、取り付け作業工数を低減させることができる。
【００２７】
なお、図１に示す既設の照明カバー３も含めた欄干照明装置のリニューアルを行う場合には、図４〜図９に示す第２実施形態〜第７実施形態のように、該当する照明カバー及び面状発光体を構成することもできる。
【００２８】
図４に示す本発明の第２実施形態は、平板状の照明カバー３Ａを既設の照明装置本体２に着脱可能に設け、この照明カバー３Ａの内面部に平板状の面状発光体４Ａを設けた構成にしてある。
【００２９】
図５に示す本発明の第３実施形態は、断面が半円状の照明カバー３Ｂを既設の照明装置本体２に着脱可能に設け、この照明カバー３Ｂの内面部に沿う形状の面状発光体４Ｂを設けた構成にしてある。
【００３０】
図６に示す本発明の第４実施形態は、断面が半長円状の照明カバー３Ｃを既設の照明装置本体２に着脱可能に設け、この照明カバー３Ｃの内面部に沿う形状の面状発光体４Ｃを設けた構成にしてある。
【００３１】
図７に示す本発明の第５実施形態は、断面が四角形を半分に切断した形状の照明カバー３Ｄを既設の照明装置本体２に着脱可能に設け、この照明カバー３Ｄの内面部に沿う形状の面状発光体４Ｄを設けた構成にしてある。
【００３２】
図８に示す本発明の第６実施形態は、断面が２等辺三角形の照明カバー３Ｅを既設の照明装置本体２に着脱可能に設け、この照明カバー３Ｅの内面部に沿う形状の面状発光体４Ｅを設けた構成にしてある。
【００３３】
図９に示す本発明の第７実施形態は、断面が不等辺三角形の照明カバー３Ｆを既設の照明装置本体２に着脱可能に設け、この照明カバー３Ｆの内面部に沿う形状の面状発光体４Ｆを設けた構成にしてある。
【００３４】
このように構成した第２実施形態〜第７実施形態に係る欄干照明装置も、照明カバー３Ａ〜３Ｆのそれぞれの内面部に、該当する内面部に沿った形状の面状発光体４Ａ〜４Ｆを設けた構成にしてあることから、前述した第１実施形態と同等の作用効果が得られる。
【００３５】
なお、前述した第１実施形態〜第７実施形態では、面発光体４としてＥＬシートを設けてある。このＥＬシートは、有機ＥＬシートでもよく、また無機ＥＬシートでもよい。また、薄い形状で折り曲げ等の加工が可能なもので、かつ面状に発光する発光部材であれば、本発明に備えられる面状発光体として設けることができる。また例えば、内部に散光機能を持つ薄いシートの端面にＬＥＤからの光を入射し、シート全体を面発光させる構成の面状発光体を設けることもできる。
【００３６】
また、前述した第１実施形態〜第７実施形態では、既設の乗客コンベアに設けたが、本発明は、既設の乗客コンベアに設けることには限定されない。新設の乗客コンベアに本発明に係る欄干照明装置を設ける構成にしてもよい。このように構成する場合には、図１等に示す光源２ａ及びソケット２ｂを設ける必要がないことはもちろんである。
【符号の説明】
【００３７】
１    欄干パネル
２    照明装置本体
２ｃ  配線材
３    照明カバー
３ａ  内面部
３ｂ  外面部
３ｃ  爪部
３Ａ  照明カバー
３Ｂ  照明カバー
３Ｃ  照明カバー
３Ｄ  照明カバー
３Ｅ  照明カバー
３Ｆ  照明カバー
４    面状発光体
４Ａ  面状発光体
４Ｂ  面状発光体
４Ｃ  面状発光体
４Ｄ  面状発光体
４Ｅ  面状発光体
４Ｆ  面状発光体
５    接着剤
【図１】
2015030605.tif 000003
【図２】
2015030605.tif 000004
【図３】
2015030605.tif 000005
【図４】
2015030605.tif 000006
【図５】
2015030605.tif 000007
【図６】
2015030605.tif 000008
【図７】
2015030605.tif 000009
【図８】
2015030605.tif 000010
【図９】
2015030605.tif 000011
【図１０】
2015030605.tif 000012
【図１１】
2015030605.tif 000013